(57)【要約】  【課題】  利用者にとって安全かつ操作性に優れた画像形成装置を提供する。  【解決手段】  給紙カセット１、１、１の上側には、画像形成処理を行う装置を内蔵した画像形成領域２０を設け、画像形成領域２０の上側には、各色のトナーボックスを備えたトナー補給領域３０を配置している。トナー補給領域３０と装置上部に配置された原稿読取装置２との間には、用紙を搬送する搬送領域４０を配置し、給紙カセット１の片側端部上側には、画像形成領域２０、トナー補給領域３０及び搬送領域４０に隣接して搬送領域５０を配置している。装置正面側には、画像形成領域２０、トナー補給領域３０、搬送領域４０、及び搬送領域５０夫々を覆い、領域毎に分離された開閉扉である画像形成部扉、トナー補給部扉、搬送部扉、及び搬送部扉を設けている。【選択図】      図１
2007072310.tif 000002
【特許請求の範囲】
【請求項１】
保守のため内部を開放する複数の開閉扉を備える画像形成装置において、
前記開閉扉は、利用者が保守可能な第１の保守領域及び保守要員が保守する第２の保守領域夫々に分離して設けられていることを特徴とする画像形成装置。
【請求項２】
前記第１の保守領域には、シートを搬送するシート搬送部又はトナーを補給するためのトナー補給部が設けられていることを特徴とする請求項１に記載の画像形成装置。
【請求項３】
前記トナー補給部は、着脱可能な同色のトナー収容部を複数備え、
該トナー収容部の１つが装着されている場合、画像形成処理可能にしてあることを特徴とする請求項２に記載の画像形成装置。
【請求項４】
前記第２の保守領域には、シートに画像形成する画像形成部が設けられていることを特徴とする請求項１に記載の画像形成装置。
【請求項５】
装置の動作状態を検出する手段と、
該手段で検出された動作状態に応じて、前記開閉扉を施解錠する錠と
を備えることを特徴とする請求項１乃至請求項４のいずれか１つに記載の画像形成装置。
【請求項６】
前記第２の保守領域を開放する開閉扉は、錠を備えることを特徴とする請求項１乃至請求項４のいずれか１つに記載の画像形成装置。
【請求項７】
前記錠が施錠されていない場合、その動作を禁止する手段を備えることを特徴とする請求項６に記載の画像形成装置。
【発明の詳細な説明】
【技術分野】
【０００１】
本発明は、保守のため内部を開放する複数の開閉扉を備える画像形成装置に関する。
【背景技術】
【０００２】
画像形成装置は、各色の感光体ドラム、感光体ドラムに静電潜像を形成するための光学ユニット、感光体ドラムの表面にトナーを供給して静電潜像を現像剤画像に顕像化するための現像装置、感光体ドラムに顕像化されたトナー像を用紙に転写するための転写ベルト、転写したトナー像を定着する定着装置、各色のトナーを収容するトナーボックス、用紙（シート）を給紙又は排紙するための搬送路、及び用紙を収容する給紙カセットなど、多くの装置を内蔵している。
【０００３】
画像形成装置には、使用中に搬送路の途中で用紙が詰まるジャム現象の解消、用紙又はトナーなどの消耗品の補給、内蔵装置の保守・点検などを行う場合に、内部を開放するための開閉扉を設けてあり、画像形成装置の利用者又は保守要員は、開閉扉を開けることにより、所要の作業を行うことができる。
【０００４】
例えば、装置の前面に設けられた開閉扉を１枚又は２枚で構成し、この開閉扉を比較的簡単な折り曲げ機構を設けて分割し、扉の開閉スペースを最小限に押さえて、省スペース、作業性の向上を図る画像形成装置が提案されている（特許文献１参照）。
【０００５】
また、装置の前面に第１開閉扉及び第２開閉扉を設け、第１開閉扉は横方向に移動可能な第１扉本体を有し、第２開閉扉は上下方向に移動可能な第２扉本体を有し、第１扉本体を第２扉本体の裏側に収納して、第１扉本体及び第２扉本体を装置内に収納することにより、扉を開閉した場合でもスペースをとらずに作業性を向上することができる画像形成装置も提案されている（特許文献２参照）。
【特許文献１】特開平４−３６０１６１号公報
【特許文献２】実開平５−２９０５０号公報
【発明の開示】
【発明が解決しようとする課題】
【０００６】
しかしながら、特許文献１及び２の画像形成装置にあっては、開閉扉を開いた場合、装置の内部全体が一度に開放されるため、例えば、利用者がジャム現象を解消するために、開閉扉を開いた場合でも、ジャム処理には不要な内部装置までもが露出することになる。このため、装置内部に不慣れな利用者は、どの箇所を操作すればよいか迷うため、利用者にとって操作の容易な装置が望まれていた。また、画像形成装置内は、高電圧が印加されている装置、高温になっている装置が存在するため、装置の保守・点検を専門とする保守要員ではない利用者が誤ってこれらの装置に触れる虞もあり、利用者にとって、さらに安全性の向上を図ることも望まれていた。また、開閉扉を開いて装置の内部全体を開放する場合、安全性確保の観点から装置は動作を停止するため、保守作業が行われる際に、動作を停止させずに画像形成処理能力を低下させないことも望まれていた。
【０００７】
本発明は、斯かる事情に鑑みてなされたものであり、利用者が保守可能な第１の保守領域及び保守要員が保守する第２の保守領域夫々に分離して開閉扉を設けることにより、利用者にとって安全かつ操作性に優れた画像形成装置を提供することを目的とする。
【０００８】
また、本発明の他の目的は、前記第１の保守領域には、シートを搬送するシート搬送部又はトナーを補給するためのトナー補給部が設けることにより、利用者が迷うことなく操作をすることができる画像形成装置を提供することにある。
【０００９】
また、本発明の他の目的は、着脱可能な同色のトナー収容部を複数備え、該トナー収容部の１つが装着されている場合、画像形成処理可能にすることにより、保守作業による画像形成処理の低下を防止することができる画像形成装置を提供することにある。
【００１０】
また、本発明の他の目的は、前記第２の保守領域には、シートに画像形成する画像形成部が設けられていることにより、利用者の保守を予定していな箇所を利用者が操作することを防止して、安全性を向上することができる画像形成装置を提供することにある。
【００１１】
また、本発明の他の目的は、装置の動作状態に応じて、前記開閉扉を施解錠する錠を備えることにより、利用者に対する安全性をさらに向上することができる画像形成装置を提供することにある。
【００１２】
また、本発明の他の目的は、前記第２の保守領域を開放する開閉扉に錠を備えることにより、利用者の保守を予定していな箇所を利用者が操作することを確実に防止して、さらに安全性を向上することができる画像形成装置を提供することにある。
【００１３】
また、本発明の他の目的は、前記錠が施錠されていない場合、その動作を禁止する手段を備えることにより、さらに安全性を向上することができる画像形成装置を提供することにある。
【課題を解決するための手段】
【００１４】
本発明に係る画像形成装置は、保守のため内部を開放する複数の開閉扉を備える画像形成装置において、前記開閉扉は、利用者が保守可能な第１の保守領域及び保守要員が保守する第２の保守領域夫々に分離して設けられていることを特徴とする。
【００１５】
本発明に係る画像形成装置は、前記第１の保守領域には、シートを搬送するシート搬送部又はトナーを補給するためのトナー補給部が設けられていることを特徴とする。
【００１６】
本発明に係る画像形成装置は、前記トナー補給部は、着脱可能な同色のトナー収容部を複数備え、該トナー収容部の１つが装着されている場合、画像形成処理可能にしてあることを特徴とする。
【００１７】
本発明に係る画像形成装置は、前記第２の保守領域には、シートに画像形成する画像形成部が設けられていることを特徴とする。
【００１８】
本発明に係る画像形成装置は、装置の動作状態を検出する手段と、該手段で検出された動作状態に応じて、前記開閉扉を施解錠する錠とを備えることを特徴とする。
【００１９】
本発明に係る画像形成装置は、前記第２の保守領域を開放する開閉扉は、錠を備えることを特徴とする。
【００２０】
本発明に係る画像形成装置は、前記錠が施錠されていない場合、その動作を禁止する手段を備えることを特徴とする。
【００２１】
本発明にあっては、利用者が保守可能な第１の保守領域用に分離された開閉扉を開いた場合、利用者が保守可能な領域だけを限定して開放する。また、保守要員が保守する第２の保守領域用に分離された開閉扉を閉じた場合、利用者による保守を必要としない領域を開放しない。これにより、装置内部全体が開放される事態を防止し、利用者が保守する箇所を明確にするとともに、保守要員が保守をする箇所に利用者がアクセスしないようにする。
【００２２】
本発明にあっては、利用者が保守可能な第１の保守領域用に分離された開閉扉を開いた場合、シート（用紙）を搬送するシート搬送部又はトナーを補給するためのトナー補給部を開放する。これにより、ジャム処理又はトナー補給など利用者が保守可能な箇所に限定して開放する。
【００２３】
本発明にあっては、複数備えた同色のトナー収容部の１つをトナー補給のため取り外した場合、別の同色のトナー収容部が装着されているため、画像形成装置は、画像形成処理を行うことができる。
【００２４】
本発明にあっては、保守要員が保守する第２の保守領域用に分離された開閉扉を開いた場合、シートに画像形成する画像形成部を開放する。これにより、画像形成処理に関わる感光体ドラム、現像装置、転写ベルトなどの利用者による保守を必要としない箇所を利用者が操作することを制限して、利用者がこれらの装置にアクセスすることを防止する。
【００２５】
本発明にあっては、装置の動作状態に応じて、錠は前記開閉扉を施解錠する。例えば、装置が停止中の場合には、錠は解錠状態にする。画像形成装置が動作中の場合には、動作中であっても駆動箇所が露出しない補給部の開閉扉を解錠状態にし、動作により駆動する箇所が露出する用紙の搬送部の開閉扉を施錠状態にする。
【００２６】
本発明にあっては、前記第２の保守領域を開放する開閉扉を、錠によって施解錠するようにしてあることにより、利用者が前記開閉扉を開けることを防止する。
【００２７】
本発明にあっては、前記錠が施錠されていない場合、画像形成装置の動作を禁止する。これにより、前記第２の保守領域を開放する開閉扉が解錠状態のまま動作させることを防止する。
【発明の効果】
【００２８】
本発明にあっては、開閉扉を利用者が保守可能な第１の保守領域及び保守要員が保守する第２の保守領域夫々に分離して設けることにより、利用者にとって安全性及び操作性が向上する。
【００２９】
本発明にあっては、前記第１の保守領域には、シート（用紙）を搬送するシート搬送部又はトナーを補給するためのトナー補給部が設けられていることにより、利用者が迷うことなくジャム処理又はトナー補給などの操作をすることができる。
【００３０】
本発明にあっては、同色のトナー収容部を複数備え、該トナー収容部の１つを取り外した場合でも、装置を停止する必要がなく、保守作業のための装置停止による画像形成処理の低下を防止することができる。
【００３１】
本発明にあっては、前記第２の保守領域には、シートに画像形成する画像形成部が設けられていることにより、利用者の保守を必要としない箇所を利用者が操作することを防止して、安全性を向上することができる。
【００３２】
本発明にあっては、装置の動作状態に応じて、前記開閉扉を施解錠する錠を備えることにより、利用者に対する安全性をさらに向上することができる。
【００３３】
本発明にあっては、前記第２の保守領域を開放する開閉扉は、施解錠するための錠を備えることにより、利用者の保守を予定していな箇所を利用者が操作することを確実に防止して、さらに安全性を向上することができる。
【００３４】
本発明にあっては、前記錠が施錠されていない場合、画像形成装置の動作を禁止する手段を備えることにより、さらに安全性を向上することができる。
【発明を実施するための最良の形態】
【００３５】
実施の形態１
以下、本発明を実施の形態を示す図面に基づいて説明する。図１は本発明に係る画像形成装置の正面側模式図である。図において、１は用紙（シート）を収容する給紙カセットである。給紙カセット１は、装置下側に上下方向に亘って複数段配置している。給紙カセット１、１、１の上側には、画像形成プロセスに要する装置を内蔵し、正面視矩形状の画像形成領域２０を設けている。
【００３６】
画像形成領域２０には、ブラック（Ｋ）、シアン（Ｃ）、マゼンダ（Ｍ）、イエロー（Ｙ）の各色のトナー像を形成するための４つの感光体ドラム２１、２２、２３、２４を用紙の搬送方向に沿って上流側（用紙搬送方向の上流側）から下流側に向かって並置してある。各感光体ドラム２１〜２４の周囲には、回転方向に沿って、帯電用ロールブラシ、現像装置、クリーニング装置など（いずれも不図示）を配置してある。
【００３７】
転写ベルト２５は、各感光体ドラム２１〜２４に当接させてあり、当接位置近傍には、現像剤画像を用紙に転写させるための転写バイアスを印加する転写ブラシ（不図示）を配置してある。また、感光体ドラム２１〜２４に下側近傍には、感光体ドラム２１〜２４に静電潜像を形成するための光学ユニット（不図示）を配置してある。
【００３８】
画像形成領域２０の上側には、正面視矩形状のトナー補給領域３０を配置している。トナー補給領域３０には、ブラック（Ｋ）のトナーを収容するトナーボックス３１、３２、シアン（Ｃ）、マゼンダ（Ｍ）、イエロー（Ｙ）の各色のトナー夫々を収容するトナーボックス３３、３４、３５を水平方向に並置してある。各トナーボックス３１〜３５は、装置本体との間で着脱自在に取り付けてある。
【００３９】
トナー補給領域３０と装置上部に配置された原稿読取装置２との間には、正面視矩形状の搬送領域４０を配置している。搬送領域４０には、後述する定着装置でトナー像を定着した用紙を後処理装置３へ搬送するための搬送路４４を水平方向に配置してあり、搬送ローラ４１、４２、４３を搬送路４４に沿って適長の離隔寸法で配置している。
【００４０】
給紙カセット１の片側端部上側には、画像形成領域２０、トナー補給領域３０及び搬送領域４０に隣接して正面視矩形状の搬送領域５０を配置している。搬送領域５０には、用紙を給紙カセット１から給紙搬送する搬送ローラ５１、用紙を給紙カセット１から搬送路４４まで搬送する搬送路５２、用紙を搬送路４４へ搬送する搬送ローラ５３を設けている。また、搬送路５２の中途には、転写ベルト２５で用紙に転写されたトナー像を定着する定着装置５４を配置している。
【００４１】
装置正面側には、画像形成領域２０、トナー補給領域３０、搬送領域４０、及び搬送領域５０夫々を覆い、領域毎に分離された開閉扉である画像形成部扉Ｄ２０、トナー補給部扉Ｄ３０、搬送部扉Ｄ４０、及び搬送部扉Ｄ５０を設けている。画像形成部扉Ｄ２０、トナー補給部扉Ｄ３０、搬送部扉Ｄ４０、及び搬送部扉Ｄ５０を開くことにより、分離かつ独立して画像形成領域２０、トナー補給領域３０、搬送領域４０、及び搬送領域５０内の各装置にアクセスすることができる。
【００４２】
画像形成部扉Ｄ２０、トナー補給部扉Ｄ３０、及び搬送部扉Ｄ４０夫々は、扉の上側縁部及び下側縁部で装置本体に支承してあり、画像形成部扉Ｄ２０、トナー補給部扉Ｄ３０、及び搬送部扉Ｄ４０夫々は、上側及び下側のいずれの側にも開くことができる。また、搬送部扉Ｄ５０は、扉の左右縁部で装置本体に支承してあり、左右両側のいずれの側にも開くことができる。
【００４３】
図２は本発明に係る画像形成装置の動作を制御する制御回路の構成を示すブロック図である。駆動回路５は、マイクロコンピュータ４からの制御信号に基づいて、感光体ドラム２１〜２４、転写ベルト２５、現像装置、光学ユニット、定着装置５４などの各装置を駆動する。すなわち、マイクロコンピュータ４から出力される制御信号に基づいて、駆動回路５は、画像形成装置を作動又は停止させる。マイクロコンピュータ４は内蔵メモリを有しており、装置の動作状態（作動又は停止など）を記憶している。
【００４４】
各トナーボックス３１〜３５には、各トナーボックスの装置本体からの着脱を検出するマイクロスイッチ（不図示）を設けてあり、該マイクロスイッチは、各トナーボックス３１〜３５が取り外されたか否かを検出して、検出信号をマイクロコンピュータ４へ出力する。黒色のトナーボックス３１、３２からの検出信号は、論理和回路８を介してマイクロコンピュータ４へ出力される。
【００４５】
すなわち、シアン（Ｃ）、マゼンダ（Ｍ）、イエロー（Ｙ）の各トナーボックス３３、３４、３５のいずれかがトナー補給のため装置本体から取り外された場合、取り外されたトナーボックスのマイクロスイッチは、マイクロコンピュータ４へ検出信号を出力し、マイクロコンピュータ４は、受け付けた検出信号に基づいて、制御信号を駆動回路５へ出力し、装置の動作を停止状態にロックする。
【００４６】
一方、ブラック（Ｋ）のトナーボックス３１、３２のうち、例えば、トナーボックス３１のみが取り外された場合、他方のトナーボックス３２は装置本体に装着されているため、トナーボックス３２のマイクロスイッチは、検出信号をマイクロコンピュータ４へ出力しない。マイクロコンピュータ４は、検出信号を受け付けないため、制御信号を駆動回路５へ出力しない。これにより、画像形成装置の動作を停止させずに、一方のトナーボックス３１を取り外してトナー補給が可能となる。
【００４７】
搬送部扉Ｄ４０、及び搬送部扉Ｄ５０には、夫々錠Ｄ４１、Ｄ５１を取り付けてあり、錠Ｄ４１、Ｄ５１は、Ｄ／Ａ変換回路を含む錠ドライバ７を介して、マイクロコンピュータ４からの施解錠信号に基づいて施解錠される。すなわち、マイクロコンピュータ４は、装置が作動している場合、施錠信号を出力して錠Ｄ４１、Ｄ５１を施錠し、装置が停止している場合は、解錠信号を出力して錠Ｄ４１、Ｄ５１を解錠する。
【００４８】
トナー補給部扉Ｄ３０には、錠Ｄ３１を取り付けてあり、錠Ｄ３１は、錠ドライバ７を介して、マイクロコンピュータ４からの施解錠信号に基づいて施解錠される。錠Ｄ３１の場合、マイクロコンピュータ４から常に解錠信号を出力することで、装置の動作状態に拘わらず、常に解錠しておき、装置が動作中であってもトナー補給部扉Ｄ３０を開いて、トナー補給を行うことができる。
【００４９】
画像形成部扉Ｄ２０には、錠Ｄ２１を取り付けてあり、錠Ｄ２１は、錠ドライバ７を介して、マイクロコンピュータ４からの施解錠信号に基づいて施解錠される。錠Ｄ２１の場合、液晶表示装置、操作スイッチなどを備えた操作部６で操作されたパスワード、暗証番号などの入力に応じて、マイクロコンピュータ４は入力されたパスワード、暗証番号の照合を行い、認証した場合に錠Ｄ２１を解錠する。また、錠Ｄ２１には、マイクロスイッチ（不図示）を接続してあり、錠Ｄ２１の施解錠の状態をマイクロコンピュータ４へ出力するようにしている。マイクロコンピュータ４は、錠Ｄ２１が解錠されている場合、制御信号を駆動回路５へ出力し、装置の動作を停止状態にロックする。また、錠Ｄ２１が施錠されている場合、マイクロコンピュータ４は、制御信号を駆動回路５へ出力しない。
【００５０】
次に本発明に係る画像形成装置の動作について説明する。まず、ジャム処理について説明する。画像形成装置の操作部６に設けられた操作スイッチを操作することにより、例えば、原稿の複写を開始する。画像形成装置が複写動作を行なっている際に搬送路４４で紙詰まりが検出された場合、マイクロコンピュータ４は、制御信号を駆動回路５へ出力して、装置の動作を停止させるとともに、解錠信号を搬送部扉Ｄ４０の錠Ｄ４１へ出力して、搬送部扉Ｄ４０を解錠状態にする。この場合、マイクロコンピュータ４は、操作部６の液晶表示装置に、搬送部扉Ｄ４０を開くよう指示を表示することもできる。
【００５１】
利用者が、搬送部扉Ｄ４０を開いて、搬送路４４の途中で詰まった用紙を取り除き、搬送部扉Ｄ４０を閉めた場合、マイクロコンピュータ４は、搬送路４４の紙詰まりが解消されたことを検知して、施錠信号を搬送部扉Ｄ４０の錠Ｄ４１へ出力して、搬送部扉Ｄ４０を施錠状態にするとともに、駆動回路５への制御信号の出力を停止して、装置の動作を開始させる。
【００５２】
次にトナー補給処理について説明する。画像形成装置は、黒色トナーボックス３１、３２のうち、例えば、黒色トナーボックス３１内のトナーが無くなった場合、操作部６の液晶表示装置に黒色トナーボックス３１の交換を促す表示をする。この場合、マイクロコンピュータ４は、操作部６の液晶表示装置に、トナー補給部扉Ｄ３０を開くよう指示を表示することもできる。
【００５３】
マイクロコンピュータ４は、黒色トナーを補給する場合、装置の動作を停止させず、制御信号を駆動回路５へ出力しない。利用者は、トナー補給部扉Ｄ３０を開いて、黒色のトナーボックス３１を交換し、トナー補給部扉Ｄ３０を閉める。この場合、一方の黒色のトナーボックス３２は装置本体に取り付けてあるため、トナーボックス３２のマイクロスイッチは、検出信号をマイクロコンピュータ４へ出力しない。マイクロコンピュータ４は、検出信号を受け付けないため、制御信号を駆動回路５へ出力せず、画像形成装置の動作を停止させることなく、一方のトナーボックス３１を取り外してトナー補給が可能となる。
【００５４】
次に保守要員による装置の保守・点検について説明する。保守要員が、画像形成装置の操作部６に設けられた操作スイッチを操作することにより、パスワード又は暗証番号が入力された場合、マイクロコンピュータ４は、入力されたパスワード又は暗証番号を照合し、認証できた場合には、画像形成部扉Ｄ２０の錠Ｄ２１を解錠する。利用者にパスワード又は暗証番号を開示していない場合、利用者が保守又はアクセスする必要のない箇所が開放されることを防止できる。
【００５５】
保守要員が、画像形成部扉Ｄ２０を開いて、画像形成部にある各装置の清掃、点検、部品の交換などの作業を行い、画像形成部扉Ｄ２０を閉めた場合、マイクロコンピュータ４は、錠Ｄ２１を施錠するとともに、制御信号を駆動回路５へ出力しない。これにより、画像形成装置は、動作を開始することができる。なお、保守要員は、トナー補給部扉Ｄ３０、搬送部扉Ｄ４０、搬送部扉Ｄ５０を開閉して、内部の保守・点検をすることができるのはいうまでもない。
【００５６】
図３は本発明に係る画像形成装置の扉を閉めた場合の外観斜視図であり、図４及び図５は本発明に係る画像形成装置の扉を開いた場合の外観斜視図である。図に示すように、画像形成部扉Ｄ２０、トナー補給部扉Ｄ３０、搬送部扉Ｄ４０夫々は、上側又は下側の両方に開くことができる。
【００５７】
図４に示すように、ジャム処理の場合は搬送部扉Ｄ４０を上側に開き、トナー補給処理の場合はトナー補給部扉Ｄ３０を下側に開くことにより、夫々の処理を行い易くすることができる。また、図５に示すように、画像形成部にある各装置の保守・点検の場合は、トナー補給部扉Ｄ３０を上側に開き、画像形成部扉Ｄ２０を下側に開くことにより、画像形成領域２０の開口間口を広くすることができ、作業性が向上するという利点がある。
【００５８】
実施の形態２
実施の形態１では、後処理装置３を備える構成であったが、これに限定されるものではなく、後処理装置３を備えない構成もある。図６は本発明に係る画像形成装置の後処理装置を備えない場合の正面側模式図である。実施の形態１との相違点は、定着装置５４でトナー像を定着した用紙を後処理装置３へ搬送するための搬送路４４、搬送ローラ４１、４２、４３に代えて、排紙トレー９を備える点であり、搬送部扉Ｄ４０を有しない。なお、実施の形態１と同様の箇所は、同一符号を付して説明を省略する。
【００５９】
以上説明したように、本発明にあっては、画像形成装置に備える開閉扉をジャム処理、トナー補給処理、画像形成部の保守・点検などの機能に対応した領域に応じて分離し、ジャム処理又はトナー補給などの利用者がアクセス可能な領域（ユーザ領域）と、装置の清掃など保守要員のみがアクセスする領域とに機能分離した開閉扉を設けることにより、装置内部全体が一度に開放されることを防止して、利用者にとって安全性に優れた画像形成装置を提供することができる。また、装置内部全体が一度に開放されることがないため、利用者が開放された内部のどの箇所にアクセスすればよいか迷うこともなく、操作性が向上する。
【００６０】
また、画像形成中であっても、トナーの補給を行うことができ、トナー補給時に装置の動作を停止する必要がないため、保守作業による画像形成処理能力の低下という問題も解消することができる。
【００６１】
また、開閉扉は、錠を備えることにより、利用者が保守する必要のない箇所にアクセスすることを防止でき、また、装置の動作状態により開閉扉の施解錠を行うことができ、より安全性を向上させることができる。
【００６２】
また、開閉扉は、２方向に開閉可能であるため、保守作業に応じて、画像形成装置の開口箇所を変更することができ、より作業性を向上させることができる。
【００６３】
上述の実施の形態では、カラー画像を形成する多段型の構成であったが、これに限定されるものではなく、白黒画像を形成するものでもよく、また、いわゆる単一型の画像形成装置であってもよい。
【００６４】
上述の実施の形態において、各開閉扉には、利用者に注意を促すラベルを貼付してもよい。例えば、画像形成部扉Ｄ２０には、「保守要員専用」などのラベルを貼り、利用者が開閉する必要がないことを表示してもよい。
【００６５】
上述の実施の形態において、画像形成領域２０、トナー補給領域３０、搬送領域４０、及び搬送領域５０の形状、相互の位置関係、配置などは、一例であって、これに限定されるものではない。画像形成装置の機能、仕様などに応じて、適宜その配置などは、変更された構成であってもよい。
【００６６】
上述の実施の形態において、各開閉扉の形状、開閉状態などは、一例であって、これに限定されるものではなく、画像形成装置の各種保守機能に応じて、独立に開閉可能であって、機能分離できるものであれば、どのような形状、又は構造であってもよい。
【００６７】
上述の実施の形態では、画像形成部扉Ｄ２０の施解錠には、パスワード又は暗証番号を用いる構成であったが、これに限定されるものではなく、鍵穴に鍵を入れて施解錠する錠であってもよい。
【００６８】
上述の実施の形態では、黒色のトナーボックスを２つ設ける構成であったが、黒色に限定されるものではなく、他の色のトナーボックスを複数備える構成であってもよい。これにより、黒色だけでなく、他の色のトナーを補充する場合にも、画像形成処理を停止する必要がなくなる。
【００６９】
上述の実施の形態においては、トナーボックスの着脱をマイクロスイッチで検出する構成であったが、これに限定されるものではなく、例えば、黒色トナーボックスを２つ備える場合は、予めマイクロコンピュータ４の内蔵メモリに黒色トナーを補給する場合に、駆動回路５へ制御信号を出力しないよう処理手順を記憶させることにより、黒色トナー補給時に画像形成装置の動作を停止させないようにすることもできる。
【図面の簡単な説明】
【００７０】
【図１】本発明に係る画像形成装置の正面側模式図である。
【図２】本発明に係る画像形成装置の動作を制御する制御回路の構成を示すブロック図である。
【図３】本発明に係る画像形成装置の扉を閉めた場合の外観斜視図である。
【図４】本発明に係る画像形成装置の扉を開いた場合の外観斜視図である。
【図５】本発明に係る画像形成装置の扉を開いた場合の外観斜視図である。
【図６】本発明に係る画像形成装置の後処理装置を備えない場合の正面側模式図である。
【符号の説明】
【００７１】
１  給紙カセット
２  原稿読取装置
３  後処理装置
４  マイクロコンピュータ
５  駆動回路
６  操作部
７  錠ドライバ
８  論理和回路
２０  画像形成領域
２１、２２、２３、２４  感光体ドラム
２５  転写ベルト
３０  トナー補給領域
３１、３２、３３、３４、３５  トナーボックス
４０、５０  搬送領域
４１、４２、４３  搬送ローラ
４４  搬送路
５１、５３  搬送ローラ
５２  搬送路
５４  定着装置
Ｄ２０  画像形成部扉
Ｄ３０  トナー補給部扉
Ｄ４０、Ｄ５０  搬送部扉
Ｄ２１、Ｄ３１、Ｄ４１、Ｄ５１  錠
【図１】
2007072310.tif 000003
【図２】
2007072310.tif 000004
【図３】
2007072310.tif 000005
【図４】
2007072310.tif 000006
【図５】
2007072310.tif 000007
【図６】
2007072310.tif 000008